(57)【要約】    【課題】  操作部を目視することなく、折り畳んだ状態で表示部を目視しながら操作部を直接操作できる携帯端末を提供する。    【解決手段】  携帯電話機１は、操作本体部１０と、表示本体部２０を軸部３０によって互いに回動可能に連結した構造となっており、操作本体部１０と表示本体部２０を互いに付き合わせて閉じた状態から、操作本体部１０と表示本体部２０を略１８０度近くまで開いた状態の間で開閉動作を行うことができる。携帯電話機１の処理状態に応じたキー機能が入力操作部４０の各キーに設定され、そのキー機能の内容が各キーのイメージにオーバーラップさせて表示部２１に表示される。【選択図】    図１
2007164733.tif 000002
【特許請求の範囲】
【請求項１】
表示部を備える表示本体部と入力操作部を備える操作本体部とを有する携帯端末において、
現在の処理状態に応じて、前記入力操作部に設けられる複数のキー部に所定のキー機能を割り付けるキー機能割付け手段と、
前記キー部に割り付けられたキー機能の内容を前記表示部に表示させるキー機能表示手段とを備えることを特徴とする携帯端末。
【請求項２】
表示部を備える表示本体部と入力操作部を備える操作本体部とを開閉可能に軸支してなる携帯端末において、
前記表示部の背面と前記入力操作部の背面とを互いに付き合わせることで閉状態とする構造とし、
現在の処理状態に応じて、前記入力操作部に設けられる複数のキー部に所定のキー機能を割り付けるキー機能割付け手段と、
前記キー部に割り付けられたキー機能の内容を前記表示部に表示させるキー機能表示手段とを備えることを特徴とする携帯端末。
【請求項３】
前記入力操作部が、押ボタンキーとして機能する単体の操作キーであって、その表面に接触し又は圧力を加えることによる入力が可能な複数のキー部を配置させて形成した操作キーで構成されることを特徴とする請求項１又は請求項２に記載の携帯端末。
【請求項４】
前記操作キーの表面を複数の小区画で区分けし、当該小区画部分に複数の前記キー部を形成したことを特徴とする請求項１から請求項３の何れか１項に記載の携帯端末。
【請求項５】
前記操作キーを、前記入力操作部全体を構成する大きさとすることを特徴とする請求項３に記載の携帯端末。
【請求項６】
前記キー機能割付け手段は、
前記入力操作部を構成する前記操作キーの複数のキー部と押しボタン機能に対して所定のキー機能を割り付けると共に、
前記キー機能表示手段は、前記操作キーの複数キー部のイメージに前記キー機能の内容をオーバーラップして表示させることを特徴とする請求項１から請求項５の何れか１項に記載の携帯端末。
【請求項７】
前記入力操作部の複数のキー部のうち、個々のキー部毎に、または幾つかのキー部を組み合わせた所定の範囲毎に、キー機能を割り付けることを特徴とする請求項１から請求項６の何れか１つに記載の携帯端末。
【請求項８】
前記表示本体部と前記操作本体部を開いた状態又は閉じた状態の一方の状態において前記複数のキー部に割り当てられた前記キー機能の割り当てを、他方の状態への移行に連動して上下に反転させることを特徴とする請求項２から請求項７の何れか１つに記載の携帯端末。
【請求項９】
前記表示本体部と前記操作本体部を開いた状態又は閉じた状態の一方の状態において前記複数のキー部に割り当てられた前記キー機能の内容の前記表示部への表示を、他方の状態への移行に連動して上下に反転させることを特徴とする請求項２から請求項７の何れか１つに記載の携帯端末。
【請求項１０】
前記入力操作部の各キー部と対応する位置に前記イメージを前記表示部に透過的に表示させることを特徴とする請求項１から請求項９の何れか１つに記載の携帯端末。
【請求項１１】
現在の処理の状態を判別する処理状態判別部と、
現在の処理の状態に対応して前記入力操作部に設けられる複数のキー部に所定のキー機能を割り付けるキー機能設定部と、
前記入力操作部の前記キー部のイメージを前記表示部に表示させると共に、前記キー部に割り付けられたキー機能の内容をキー表示にオーバーラップさせて表示させる入力表示処理部と、
前記キー機能が割り付けられた前記キー部の入力操作を認識し当該キー部に割り付けられたキー機能に対応する入力情報を出力する入力認識部からなる入力支援部を備えることを特徴とする請求項１から請求項１０の何れか１つに記載の携帯端末。
【請求項１２】
前記入力認識部は、接触され又は圧力が加えられた前記キー部への接触又は圧力が無くなったことを検知した場合に、前記キー部に割り当てられた前記キー機能を決定することを特徴とする請求項１１に記載の携帯端末。
【請求項１３】
前記入力認識部は、前記キー部に対し、接触され又は圧力が加えられた状態で、押ボタンキーとして機能する前記操作キーが押下された場合に、前記キー部に割り当てられた前記キー機能を決定することを特徴とする請求項１１に記載の携帯端末。
【請求項１４】
前記入力認識部は、前記キー部へ一定時間以上の接触がなされ又は前記キー部へ一定圧力以上の圧力が加えられたことを検知した場合に、前記キー部に割り当てられたキー機能を選択し、押ボタンキーとして機能する前記操作キーが押下された場合に、選択された前記キー機能を決定することを特徴とする請求項１１に記載の携帯端末。
【請求項１５】
前記入力認識部は、前記キー部へ一定圧力が加えられたことを検知した場合に、前記キー部に割り当てられたキー機能を選択し、前記キー部へ前記一定圧力より大きい圧力であって前記操作キーの押下に必要な圧力より小さい圧力が加えられた場合に、選択された前記キー機能を決定することを特徴とする請求項１１に記載の携帯端末。
【請求項１６】
前記入力認識部は、前記キー部へ一定時間以上の接触がなされ又は前記キー部へ一定圧力以上の圧力が加えられたことを検知した場合に、前記キー部に割り当てられたキー機能を選択し、前記キー部への接触又は圧力が無くなったことを検知した場合に、選択された前記キー機能を決定することを特徴とする請求項１１に記載の携帯端末。
【請求項１７】
前記入力認識部は、前記キー部へ一定時間以上の接触がなされ又は前記キー部へ一定圧力以上の圧力が加えられたことを検知した場合に、前記キー部に割り当てられたキー機能を選択し、押ボタンキーとして機能する前記操作キーが押下された場合に、選択された前記キー機能を決定することを特徴とする請求項１１に記載の携帯端末。
【請求項１８】
前記入力認識部は、前記キー部へ一定圧力が加えられたことを検知した場合に、前記キー部に割り当てられたキー機能を選択し、前記キー部へ前記一定圧力より大きい圧力であって前記操作キーの押下に必要な圧力より小さい圧力が加えられた場合に、選択された前記キー機能を決定することを特徴とする請求項１１に記載の携帯端末。
【請求項１９】
前記処理状態に応じて前記複数のキー部に割り当てる所定のキー機能を予め定義したテーブルを複数を備え、
前記キー機能を割り付ける手段は、前記処理状態に対応する前記テーブルの定義内容に基づいて前記所定のキー機能を割り当てることを特徴とする請求項１から請求項１８の何れか１項に記載の携帯端末。
【請求項２０】
前記キー部へ接触がなされ又は圧力が加えられた場合に、前記キー機能表示手段が、当該キー部に対応して前記表示部に表示される前記キー部のキー機能の内容を強調して表示することを特徴とする請求項１から請求項１９の何れか１項に記載の携帯端末。
【請求項２１】
表示部を備える表示本体部と入力操作部を備える操作本体部とを有する携帯端末のデータ入力装置であって、
現在の処理状態に応じて、前記入力操作部に設けられる複数のキー部に所定のキー機能を割り付けるキー機能割付け手段と、
前記キー部に割り付けられたキー機能の内容を前記表示部に表示させるキー機能表示手段を有することを特徴とする携帯端末のデータ入力装置。
【請求項２２】
表示部を備える表示本体部と入力操作部を備える操作本体部とを開閉可能に軸支してなる携帯端末のデータ入力装置であって、
前記携帯端末を、前記表示部の背面と前記入力操作部の背面とを互いに付き合わせることで閉状態とする構造とし、
現在の処理状態に応じて、前記入力操作部に設けられる複数のキー部に所定のキー機能を割り付けるキー機能割付け手段と、
前記キー部に割り付けられたキー機能の内容を前記表示部に表示させるキー機能表示手段を有することを特徴とする携帯端末のデータ入力装置。
【請求項２３】
前記入力操作部が、押ボタンキーとして機能する単体の操作キーであって、その表面に接触し又は圧力を加えることによる入力が可能な複数のキー部を配置させて形成した操作キーで構成されることを特徴とする請求項２１又は請求項２２に記載の携帯端末のデータ入力装置。
【請求項２４】
前記操作キーの表面を複数の小区画で区分けし、当該小区画部分に複数の前記キー部を形成したことを特徴とする請求項２１から請求項２３の何れか１項に記載の携帯端末のデータ入力装置。
【請求項２５】
前記ボタンキーを、前記入力操作部全体を構成する大きさとすることを特徴とする請求項２４に記載の携帯端末のデータ入力装置。
【請求項２６】
前記キー機能割付け手段は、
前記入力操作部を構成する前記操作キーの複数のキー部と押しボタン機能に対して所定のキー機能を割り付けると共に、
前記キー機能表示手段は、前記操作キーの複数キー部のイメージに前記キー機能の内容をオーバーラップして表示させることを特徴とする請求項２１から請求項２５の何れか１項に記載の携帯端末のデータ入力装置。
【請求項２７】
前記入力操作部の複数のキー部のうち、個々のキー部毎に、または幾つかのキー部を組み合わせた所定の範囲毎に、キー機能を割り付けることを特徴とする請求項２１から請求項２６の何れか１つに記載の携帯端末のデータ入力装置。
【請求項２８】
前記表示本体部と前記操作本体部を開いた状態又は閉じた状態の一方の状態において前記複数のキー部に割り当てられた前記キー機能の割り当てを、他方の状態への移行に連動して上下に反転させることを特徴とする請求項２２から請求項２７の何れか１つに記載の携帯端末のデータ入力装置。
【請求項２９】
前記表示本体部と前記操作本体部を開いた状態又は閉じた状態の一方の状態において前記複数のキー部に割り当てられた前記キー機能の内容の前記表示部への表示を、他方の状態への移行に連動して上下に反転させることを特徴とする請求項２２から請求項２７の何れか１つに記載の携帯端末のデータ入力装置。
【請求項３０】
前記入力操作部の各キー部と対応する位置に前記イメージを前記表示部に透過的に表示させることを特徴とする請求項２１から請求項２９の何れか１つに記載の携帯端末のデータ入力装置。
【請求項３１】
現在の処理の状態を判別する処理状態判別部と、
現在の処理の状態に対応して前記入力操作部に設けられる複数のキー部に所定のキー機能を割り付けるキー機能設定部と、
前記入力操作部の前記キー部のイメージを前記表示部に表示させると共に、前記キー部に割り付けられたキー機能の内容をキー表示にオーバーラップさせて表示させる入力表示処理部と、
前記キー機能が割り付けられた前記キー部の入力操作を認識し当該キー部に割り付けられたキー機能に対応する入力情報を出力する入力認識部からなる入力支援部を備えることを特徴とする請求項２１から請求項３０の何れか１つに記載の携帯端末のデータ入力装置。
【請求項３２】
前記入力認識部は、接触され又は圧力が加えられた前記キー部への接触又は圧力が無くなったことを検知した場合に、前記キー部に割り当てられた前記キー機能を決定することを特徴とする請求項３１に記載の携帯端末のデータ入力装置。
【請求項３３】
前記入力認識部は、前記キー部に対し、接触され又は圧力が加えられた状態で、押ボタンキーとして機能する前記操作キーが押下された場合に、前記キー部に割り当てられた前記キー機能を決定することを特徴とする請求項３１に記載の携帯端末のデータ入力装置。
【請求項３４】
前記入力認識部は、前記キー部へ一定時間以上の接触がなされ又は前記キー部へ一定圧力以上の圧力が加えられたことを検知した場合に、前記キー部に割り当てられたキー機能を選択し、押ボタンキーとして機能する前記操作キーが押下された場合に、選択された前記キー機能を決定することを特徴とする請求項３１に記載の携帯端末のデータ入力装置。
【請求項３５】
前記入力認識部は、前記キー部へ一定圧力が加えられたことを検知した場合に、前記キー部に割り当てられたキー機能を選択し、前記キー部へ前記一定圧力より大きい圧力であって前記操作キーの押下に必要な圧力より小さい圧力が加えられた場合に、選択された前記キー機能を決定することを特徴とする請求項３１に記載の携帯端末のデータ入力装置。
【請求項３６】
前記入力認識部は、前記キー部へ一定時間以上の接触がなされ又は前記キー部へ一定圧力以上の圧力が加えられたことを検知した場合に、前記キー部に割り当てられたキー機能を選択し、前記キー部への接触又は圧力が無くなったことを検知した場合に、選択された前記キー機能を決定することを特徴とする請求項３１に記載の携帯端末のデータ入力装置。
【請求項３７】
前記入力認識部は、前記キー部へ一定時間以上の接触がなされ又は前記キー部へ一定圧力以上の圧力が加えられたことを検知した場合に、前記キー部に割り当てられたキー機能を選択し、押ボタンキーとして機能する前記操作キーが押下された場合に、選択された前記キー機能を決定することを特徴とする請求項３１に記載の携帯端末のデータ入力装置。
【請求項３８】
前記入力認識部は、前記キー部へ一定圧力が加えられたことを検知した場合に、前記キー部に割り当てられたキー機能を選択し、前記キー部へ前記一定圧力より大きい圧力であって前記操作キーの押下に必要な圧力より小さい圧力が加えられた場合に、選択された前記キー機能を決定することを特徴とする請求項３１に記載の携帯端末のデータ入力装置。
【請求項３９】
前記処理状態に応じて前記複数のキー部に割り当てる所定のキー機能を予め定義したテーブルを複数を備え、
前記キー機能を割り付ける手段は、前記処理状態に対応する前記テーブルの定義内容に基づいて前記所定のキー機能を割り当てることを特徴とする請求項２１から請求項３８の何れか１項に記載の携帯端末のデータ入力装置。
【請求項４０】
前記キー部へ接触がなされ又は圧力が加えられた場合に、前記キー機能表示手段が、当該キー部に対応して前記表示部に表示される前記キー部のキー機能の内容を強調して表示することを特徴とする請求項２２から請求項３９の何れか１項に記載の携帯端末のデータ入力装置。
【請求項４１】
表示部を備える表示本体部と入力操作部を備える操作本体部とを有する携帯端末のデータ入力支援方法であって、
現在の処理状態に応じて、前記入力操作部に設けられる複数のキー部に所定のキー機能を割り付け、
前記キー部に割り付けられたキー機能の内容を前記表示部に表示させることを特徴とする携帯端末のデータ入力支援方法。
【請求項４２】
表示部を備える表示本体部と入力操作部を備える操作本体部とを開閉可能に軸支してなる携帯端末のデータ入力支援方法であって、
前記表示部の背面と前記入力操作部の背面とを互いに付き合わせることで閉状態とする構造とした前記携帯端末に、
現在の処理状態に応じて、前記入力操作部に設けられる複数のキー部に所定のキー機能を割り付け、
前記キー部に割り付けられたキー機能の内容を前記表示部に表示させることを特徴とする携帯端末のデータ入力支援方法。
【請求項４３】
前記キー機能割付けにおいて、
前記入力操作部を構成する前記操作キーの複数のキー部と押しボタン機能に対して所定のキー機能を割り付けると共に、
前記キー機能表示手段は、前記操作キーの複数キー部のイメージに前記キー機能の内容をオーバーラップして表示させることを特徴とする請求項４１又は請求項４２に記載の携帯端末のデータ入力支援方法。
【請求項４４】
前記キー機能割付けにおいて、前記入力操作部の複数のキー部のうち、個々のキー部毎に、または幾つかのキー部を組み合わせた所定の範囲毎に、キー機能を割り付けることを特徴とする請求項４１から請求項４３の何れか１項に記載の携帯端末のデータ入力支援方法。
【請求項４５】
前記表示本体部と前記操作本体部を開いた状態又は閉じた状態の一方の状態において前記複数のキー部に割り当てられた前記キー機能の割り当てを、他方の状態への移行に連動して上下に反転させることを特徴とする請求項４１から請求項４４の何れか１つに記載の携帯端末のデータ入力支援方法。
【請求項４６】
前記表示本体部と前記操作本体部を開いた状態又は閉じた状態の一方の状態において前記複数のキー部に割り当てられた前記キー機能の内容の前記表示部への表示を、他方の状態への移行に連動して上下に反転させることを特徴とする請求項４２から請求項４５の何れか１つに記載の携帯端末のデータ入力支援方法。
【請求項４７】
前記キー部へ接触がなされ又は圧力が加えられた場合に、当該キー部に対応して前記表示部に表示される前記キー部のキー機能の内容を強調して表示することを特徴とする請求項４２から請求項４６の何れか１項に記載の携帯端末のデータ入力支援方法。
【請求項４８】
前記入力操作部の各キー部と対応する位置に前記イメージを前記表示部に透過的に表示させることを特徴とする請求項４２から請求項４７の何れか１つに記載の携帯端末のデータ入力支援方法。
【請求項４９】
表示部を備える表示本体部と入力操作部を備える操作本体部とを有する携帯端末上で実行されるデータ入力支援プログラムであって、
現在の処理状態に応じて、前記入力操作部に設けられる複数のキー部に所定のキー機能を割り付ける機能と、
前記キー部に割り付けられたキー機能の内容を前記表示部に表示させる機能を前記携帯端末に持たせることを特徴とする携帯端末のデータ入力支援プログラム。
【請求項５０】
表示部を備える表示本体部と入力操作部を備える操作本体部とを開閉可能に軸支してなる携帯端末上で実行されるデータ入力支援プログラムであって、
前記表示部の背面と前記入力操作部の背面とを互いに付き合わせることで閉状態とする構造とした前記携帯端末に、
現在の処理状態に応じて、前記入力操作部に設けられる複数のキー部に所定のキー機能を割り付ける機能と、
前記キー部に割り付けられたキー機能の内容を前記表示部に表示させる機能を前記携帯端末に持たせることを特徴とする携帯端末のデータ入力支援プログラム。
【請求項５１】
前記キー機能割付け機能は、
前記入力操作部を構成する前記操作キーの複数のキー部と押しボタン機能に対して所定のキー機能を割り付けると共に、
前記キー機能表示手段は、前記操作キーの複数キー部のイメージに前記キー機能の内容をオーバーラップして表示させることを特徴とする請求項４９請求項５０に記載の携帯端末のデータ入力支援プログラム。
【請求項５２】
前記キー機能割付け機能は、前記入力操作部の複数のキー部のうち、個々のキー部毎に、または幾つかのキー部を組み合わせた所定の範囲毎に、キー機能を割り付けることを特徴とする請求項４９から請求項５１の何れか一項に記載の携帯端末のデータ入力支援プログラム。
【請求項５３】
前記表示本体部と前記操作本体部を開いた状態又は閉じた状態の一方の状態において前記複数のキー部に割り当てられた前記キー機能の割り当てを、他方の状態への移行に連動して上下に反転させる機能を有することを特徴とする請求項５０から請求項５２の何れか１つに記載の携帯端末のデータ入力支援プログラム。
【請求項５４】
前記表示本体部と前記操作本体部を開いた状態又は閉じた状態の一方の状態において前記複数のキー部に割り当てられた前記キー機能の内容の前記表示部への表示を、他方の状態への移行に連動して上下に反転させることを特徴とする請求項５０から請求項５２の何れか１つに記載の携帯端末のデータ入力支援プログラム。
【請求項５５】
前記入力操作部の各キー部と対応する位置に前記イメージを前記表示部に透過的に表示させる機能を有することを特徴とする請求項４９から請求項５４の何れか１つに記載の携帯端末のデータ入力支援プログラム。
【請求項５６】
表示部を備える表示本体部と入力操作部を備える操作本体部とを有する携帯端末のデータ入力方法であって、
前記入力操作部に設けられた複数のキー部の何れかのキー部に対し、一定時間以上の接触がなされたことを検知した場合に、接触された前記キー部に割り当てられたキー機能を選択し、
前記キー部に対する接触が無くなったことを検知した場合に、選択された前記キー機能を決定することを特徴とする携帯端末のデータ入力方法。
【請求項５７】
表示部を備える表示本体部と入力操作部を備える操作本体部とを有する携帯端末のデータ入力方法であって、
前記入力操作部に設けられた複数のキー部の何れかに一定圧力の圧力が加えられたことを検知することにより、圧力が加えられた前記キー部に割り当てられたキー機能を選択し、
前記キー部に対する圧力が無くなったことを検知した場合に、選択された前記キー機能を決定することを特徴とする携帯端末のデータ入力方法。
【請求項５８】
表示部を備える表示本体部と入力操作部を備える操作本体部とを有する携帯端末のデータ入力方法であって、
前記入力操作部に設けられた複数のキー部の何れかのキー部に対し、一定圧力の圧力が加えられたことを検知した場合に、圧力が加えられた前記キー部に割り当てられたキー機能を選択し、
前記キー部に対し、前記一定圧力より大きな圧力が加えられたことを検知した場合に、選択された前記キー機能を決定することを特徴とする携帯端末のデータ入力方法。
【請求項５９】
前記キー部に対し、前記一定圧力以上であって押ボタンキーとして機能する前記入力操作部の押下に必要な圧力以下の圧力が加えられたことを検知した場合に、選択された前記キー機能を決定することを特徴とする請求項５８に記載の携帯端末のデータ入力方法。
【請求項６０】
表示部を備える表示本体部と入力操作部を備える操作本体部とを有する携帯端末のデータ入力方法であって、
押ボタンキーとして機能する前記入力操作部に設けられた複数のキー部の何れかのキー部に対し、一定時間以上の接触がなされ又は一定圧力以上の圧力が加えられたことを検知した場合に、接触され又は圧力が加えられた前記キー部に割り当てられたキー機能を選択し、
前記入力操作部が押下された場合に、選択された前記キー機能を決定することを特徴とする携帯端末のデータ入力方法。
【発明の詳細な説明】
【技術分野】
【０００１】
本発明は、携帯端末に関し、特に、折り畳んだ状態でも入力等の各種操作を容易に行うことができる携帯端末、携帯端末のデータ入力装置、そのデータ入力方法及びデータ入力支援プログラムに関する。
【背景技術】
【０００２】
従来の携帯型電話機等の携帯端末としては、いわゆる折り畳み式構造のものが広く提供されている。
【０００３】
従来のこの種の折り畳み式の携帯端末では、液晶ディスプレイを備える表示部とデータや指示の入力を行う操作部とを軸部で連結し、表示部の表示面と操作部の入力面とを対向させた状態で折り畳み、使用する際に軸部で表示部と操作部とを略１８０度近い角度まで開いた状態として操作部に設けられた各種キーを押すことにより、通話や情報通信ための操作を行うのが一般的である。
【０００４】
また、表示部と操作部の開閉を行うための軸部に対して垂直の軸を設けた２軸構造とし、その垂直の軸の回りで表示部を回転させる構造とし、折り畳んだ状態でも表示部の表示面を外に向けた状態で折り畳むことができるようにした携帯端末も提案されている。
【０００５】
さらに、特開２００４−１８５０９０号公報（特許文献１）には、表示部と操作部を軸部を中心に略３６０度にわたって回動させる構造のものが提案されている。この特許文献１の携帯端末によれば、表示部と操作部を対向させて折り畳んだ状態と表示部と操作部を開いた状態に加えて、表示部と操作部の背面側を互いに対向させて折り畳んだ状態に保持することができるものである。
【特許文献１】特開２００４−１８５０９０号公報
【発明の開示】
【発明が解決しようとする課題】
【０００６】
上述した従来の技術は、いずれも以下に述べるような問題点があった。
【０００７】
従来の携帯端末にあっては、操作部に配された各キーに対してキー機能が固定的に割り付けられており、利用者は操作部の各キートップに付されているキー機能の内容（処理や文字）を確認しながら操作を行うのが一般的である。このため、操作中は画面から目を離すことが多くなり、画面を見ながらスムーズにキー操作を行うことが難しいといった問題があった。
【０００８】
また、従来の一般的な折り畳み式構造の携帯端末にあっては、折り畳んだ状態では、表示部の表示面が隠れてしまうので、折り畳んだままの状態では特定の機能を除きその本来の機能を実行することができないことである。
【０００９】
例えば、折り畳んだ状態では、表示部背面に設けられた小型のサブ表示部と筐体のサイド部分に設けられた操作ボタンを使用することによって、受信確認等の簡単な機能を実行することができるけれども、携帯端末本来の機能を使用する場合には、表示部と操作部を開いた状態にする必要がある。
【００１０】
また、表示部と操作部の開閉を行うための軸部に対して垂直の軸を設けた２軸構造とし、その垂直の軸の回りで表示部を回転させる構造とし、折り畳んだ状態でも表示部の表示面を外に向けた状態で折り畳むことができるようにした携帯端末の場合においても、折り畳んだ状態では、操作部が表示部の裏側に隠れてしまうので、上記と同様に、筐体サイドの操作ボタンを用いた簡単な操作に限定され、操作部を使用した本来的な使用が行えない。
【００１１】
さらに、特許文献１に開示される携帯端末では、表示部と操作部を略３６０度開いて互いの背面を付き合わせた状態とすれば、表示部と操作部を外側に向けた状態とすることができるが、そのような状態では、操作部が下面を向いてしまうので表示部を見ながら操作部を直接操作できないという問題がある。
【００１２】
すなわち、この特許文献１の携帯端末では、２軸構造とすることなく表示部を外側に向けた状態で折り畳むことができるだけであり、上記と同様の問題を有する。
【００１３】
本発明の目的は、上記従来の課題を解決し、画面上の表示から目を離して操作部のキーに集中することなく画面を見ながらスムーズに処理入力や文字入力のための操作を行うことができる携帯端末、携帯端末のデータ入力装置、そのデータ入力方法及びデータ入力支援プログラムを提案することを目的とする。
【００１４】
本発明の他の目的は、上記従来の課題を解決し、折り畳んだ状態でも、操作部を操作しながら携帯端末本来の機能を実行することができる携帯端末、携帯端末のデータ入力装置、そのデータ入力方法及びデータ入力支援プログラムを提案することを目的とする。
【００１５】
また、本発明の他の目的は、操作部を目視することなく、表示部を目視しながら操作部を操作してデータ入力を行える携帯端末、携帯端末のデータ入力装置、そのデータ入力方法及びデータ入力支援プログラムを提案することを目的とする。
【課題を解決するための手段】
【００１６】
上記目的を達成する本発明によれば、表示部を備える表示本体部と入力操作部を備える操作本体部とを有する携帯端末において、現在の処理状態に応じて、前記入力操作部に設けられる複数のキー部に所定のキー機能を割り付ける手段と、前記キー部に割り付けられたキー機能の内容を前記表示部に表示させる手段とを備えることを特徴とする。
【００１７】
本発明によれば、表示部を備える表示本体部と入力操作部を備える操作本体部とを開閉可能に軸支してなり、前記表示部の背面と前記入力操作部の背面とを互いに付き合わせることで閉状態とする構造とする。
【００１８】
本発明によれば、前記入力操作部が、押ボタンキーとして機能する単体の操作キーであって、その表面に接触による入力が可能な複数のキー部を配置させて形成した操作キーで構成される。
【００１９】
また、本発明によれば、前記キー機能割付け手段は、前記入力操作部を構成する前記操作キーの複数のキー部と押しボタン機能に対して所定のキー機能を割り付けると共に、前記キー機能表示手段は、前記操作キーの複数キー部のイメージに前記キー機能の内容をオーバーラップして表示させる。
【００２０】
本発明の携帯端末では、現在の処理状態に応じて、入力操作部の操作キーの複数のキー部に対して所定のキー機能が割り付けられると共に、操作キーの複数のキー部のイメージに割り付けたキー機能の内容をオーバーラップして表示部に表示したことにより、携帯端末を操作するユーザは、表示部に表示される操作キーのイメージと割り付けられたキー機能を確認しながら入力操作を行うことが可能となり、携帯端末を折り畳んだ状態でも開いた状態と同じような間隔で入力操作ができる。
【発明の効果】
【００２１】
本発明の携帯端末によれば、入力操作部の操作キーを見ることなく表示部を目視しながら自在に入力操作を行うことができるので、端末のスムーズな操作が可能となる。
【００２２】
また、本発明の携帯端末によれば、携帯端末を折り畳んだ状態でも、表示部を目視しながら開いた状態と同じように自在に入力操作を行うことで、本来の機能を実行することが可能となる。
【００２３】
その理由は、携帯端末の現在の処理状態に応じて、入力操作部の操作キーの複数のキー部に対して所定のキー機能が割り付けられると共に、操作キーの複数のキー部に割り付けたキー機能の内容をオーバーラップして表示部に表示するようにしたからである。
【発明の実施するための最良の形態】
【００２４】
以下、本発明の好適な実施の形態について図面を参照して詳細に説明する。
【００２５】
図１に、本発明の第１の実施の形態による携帯端末の外観図を示す。本実施の形態においては、本発明を携帯端末として携帯電話機１に適用した場合を示している。
【００２６】
本実施の形態による携帯電話機１は、一般的な通信機能や、時刻表示機能、通話履歴管理機能、アプリケーションによるメール機能等を有し、操作本体部１０と、表示本体部２０を軸部３０によって互いに回動可能に連結した構造となっている。
【００２７】
操作本体部１０と表示本体部２０は、軸部３０を中心に略１８０度の範囲で回転することによって、携帯電話機１を閉じた状態から開いた状態の何れかの任意の状態に変形することができる。
【００２８】
図２に、本実施の形態による携帯電話機１の開閉状態の具体例を示す。
【００２９】
この携帯電話機１は、図２及び図３に示すように操作本体部１０と表示本体部２０を互いに付き合わせて閉じた状態から、図１に示すように操作本体部１０と表示本体部２０を略１８０度近くまで開いた状態の間で開閉動作を行うことができる。
【００３０】
操作本体部１０には、データや指示の入力を行うための入力操作部４０が配置されている。
【００３１】
この入力操作部４０は、図２及び図３のように携帯電話機１を閉じた状態で表示本体部２０の表示部５０の裏側外方向を向く位置に設けられている。
【００３２】
この携帯電話機１は、図１に示す操作本体部１０と表示本体部２０を開いた状態と図２及び図３に示す操作本体部１０と表示本体部２０を互いに付き合わせて閉じた状態の何れの状態でも、操作本体部１０を利用した各種の操作を行うことができるように構成されている。
【００３３】
図４は、図１の操作本体部１０の入力操作部４０部分の断面構造を示す図であり、また図５は、入力操作部４０の外観を示す図である。
【００３４】
図５に示すように、入力操作部４０は、その横幅が操作本体部１０の横幅の寸法に近い単体の操作キー４１の表面を複数の小区画に区分けし、それらの複数の小区画に複数の入力キー４３を一体的に配置して構成されている。
【００３５】
各々の入力キー４３は、指の接触を感知して感知した当該キーに割り付けられた情報の入力を可能とする接触感知式のキーや、指で一定上の圧力が加えられたことを検知して当該キーに割り付けられた情報の入力を可能とする圧力感知式のキー等によって実現される。
【００３６】
また、操作キー４１は、タクトスイッチ等のような押下式の押ボタンキーとしての機能を有し、その中央に設けられた軸によって操作キー４１全体が押下可能にスイッチ部４４に保持されている。
【００３７】
そして、操作キー４１は、図４に示すように携帯電話機１の操作本体部１０内に収容されている。操作キー４１のスイッチ部４４が操作本体部１０内に内臓されたLSI等の電子部品を搭載する回路基板７０上に接続固定され、操作キー４１表面の入力キー４３が、操作本体部１０の筐体上の入力キー４３に対応して形成された孔を介して外部に露出するように配置されている。
【００３８】
上記のような入力操作部４０の構造により、入力キー４３に指で触れる操作や指を離す操作、あるいは圧力を加える等の操作によってタッチ式の入力（タッチ入力信号）が行えると共に、入力キー４３の部分を直接押下することによって押下入力（押下入力信号）が行えるものである。
【００３９】
押下による入力においては、操作キー４１のどの部分の入力キー４３を押下しても操作キー４１全体が押し下げられて入力が行えるようになっている。
【００４０】
なお、入力操作部４０を構成する操作キー４１の構造及び形状については、図示の構造及び形状に限定されることなく種々のものが考えられる。例えば、操作キー４１の形状は、図示の略四角形だけでなく円形や多角形のものとすることが可能である。また、操作キー４１の入力キー４３についても、その個数や配列の仕方は図示のものに限定されない。
【００４１】
ここで、携帯電話機１のハードウェア構成の説明をする。
【００４２】
図６は、本実施の形態による携帯電話機１のハードウェア構成を示すブロック図である。
【００４３】
図６を参照すると、本実施の形態による携帯電話機１は、一般的なコンピュータ装置と同様のハードウェア構成によって実現することができ、データ処理部（ＣＰＵ：Ｃｅｎｔｒａｌ  Ｐｒｏｃｅｓｓｉｎｇ  Ｕｎｉｔ）１００、ＲＡＭ（Ｒａｎｄｏｍ  Ａｃｃｅｓｓ  Ｍｅｍｏｒｙ）等のメインメモリであり、データの作業領域やデータの一時退避領域に用いられる主記憶部１１０、音声やデータの送受信を行う通信部１２０、液晶ディスプレイ等の表示部５０、本発明の特徴的な構成である入力操作部４０、周辺機器と接続してデータの送受信を行うインタフェース部１３０、ＲＯＭ（Ｒｅａｄ  Ｏｎｌｙ  Ｍｅｍｏｒｙ）、磁気ディスク、半導体メモリ等の不揮発性メモリから構成されるハードディスク装置である補助記憶部１４０、本情報処理装置の上記各構成要素を相互に接続するシステムバス１５０等を備えている。
【００４４】
本実施の形態による携帯電話機１は、その動作を、携帯電話機１内部に各種の機能を実現するプログラムを組み込んだ、ＬＳＩ（Ｌａｒｇｅ  Ｓｃａｌｅ  Ｉｎｔｅｇｒａｔｉｏｎ）等のハードウェア部品からなる回路部品を実装してハードウェア的に実現することは勿論として、上記した各構成要素の各機能を提供するプログラムを、コンピュータ処理装置上のデータ処理部（ＣＰＵ１００）で実行することにより、ソフトウェア的に実現することができる。
【００４５】
すなわち、データ処理部（ＣＰＵ）１００は、補助記憶部１４０に格納されているプログラムを、主記憶部１１０にロードして実行し、携帯電話機１の動作を制御することにより、上述した各機能をソフトウェア的に実現する。
【００４６】
図７は、本実施の形態による携帯電話機１の機能を示すブロックであり、携帯電話機１のデータ処理部（ＣＰＵ）１００によって、入力支援部２１０と、機能処理部２２０と、表示制御部２３０の各機能を有する構成となっている。
【００４７】
入力支援部２１０には、入力インタフェース３１０を介して入力操作部４０が接続されている。また、表示制御部２３０には、表示インタフェース３２０を介して表示部５０が接続されている。
【００４８】
ここで、入力支援部２１０は、入力操作部４０を利用した入力操作を支援することにより、本発明独自の操作性を持たせるための機能を提供する。
【００４９】
機能処理部２２０は、携帯電話機１が本来的に備える機能である、通話機能、データ送受信機能、アプリケーション実行機能、電話帳を含むデータの編集機能等の各種機能を実現するための処理部である。
【００５０】
表示制御部２３０は、表示部５０への文字や画像の表示を制御する部分であり、本実施の形態では、さらに上記入力支援部２１０からの設定に基づいて入力キー４３に割り当てられたキー機能とその配置を表示部５０上に表示する役割を有する。
【００５１】
図８に示すように、操作キー４１からは入力キー４３の操作（タッチ操作、加圧操作）による入力信号Ｓ１と、入力キー４３部分の押下操作による押下入力信号Ｓ２とが入力支援部２１０に入力される。
【００５２】
図８と図９を参照して携帯電話機１の入力操作部４０と入力支援部２１０の構成について説明する。
【００５３】
図８に示すように、入力操作部４０における操作キー４１の各入力キー４３は、一般的なこの種の携帯端末に設けられるスイッチキーと異なり、各キーの機能が物理的に固定されておらず、各入力キー４３毎に、あるいは入力キー４３をグループ化した場合、その入力キー４３のグループ毎に、現在の処理状態に応じてそれらのキー機能が切り替わるように構成されている。
【００５４】
すなわち、一般に提供されているこの種の携帯電話機では、配置されるキーに対して予め特定のキー機能が割り付けられており、それらの機能を表す文字や記号等が付されているが、本実施の形態による携帯電話機の入力キー４３にはそのような機能内容を特定する文字や記号等を付す必要がない。
【００５５】
また、個々の入力キー４３毎だけでなく、幾つかの入力キー４３を含む範囲（例えば、横一列の範囲や縦一列の範囲など）に対し、その組み合わせ（グループ）に応じて特定のキー機能を設定できるように構成されている。
【００５６】
操作キー４１の入力キー４３によるタッチ入力及び押下による押下入力によって、それらに割り付けられたキー機能に応じた入力情報が入力支援部４３に送られる。
【００５７】
入力支援部４３は、ファームウェアやソフトウェアによって実現され、操作キー４１の押下機能及び入力キー４３に対するキー機能の割り付けの処理状態に応じて設定し、設定されたキー機能の割り付けによって入力された情報を取得する機能を有する。
【００５８】
図９に示すように、本実施の形態による入力支援部２１０は、処理状態判別部２１１と、キー機能設定部２１２と、入力表示処理部２１３と、入力認識部２１４と、キー機能設定記憶部２２０を備える。
【００５９】
処理状態判別部２１１は、携帯電話機１の現在の処理状態（例えば、初期の処理状態にあるか、または、所定の処理によって、他の処理状態にあるか等）を判別する機能を備える。
【００６０】
すなわち、処理状態判別部２１１は、携帯電話機１がいかなる種類の入力情報を受け付ける状態かを判別するものである。
【００６１】
キー機能設定部２１２は、処理状態判別部２１１によって判別された処理状態に応じて、操作キー４１の各入力キー４３及び押下キー機能に対するキーの配置（範囲）とキー機能を設定する機能を有する。
【００６２】
具体的には、キー機能設定部２１２は、判別された処理状態に基き、キー機能設定記憶部２２０に格納されている各種テーブルに定義されている内容に従って、各入力キー４３毎またはそれらの組み合わせた範囲（入力キーのグループ）、及び押下キー機能に対して当該処理状態に応じて予め定められたキー機能を設定する。
【００６３】
ここで、キー機能とは、操作キー４１の押下操作又は入力キー４３のタッチ操作によって入力された情報に対応して処理される所定の機能である。
【００６４】
キー機能設定記憶部２２０には、処理状態−キー設定対応テーブル２２１、キー設定テーブル２２２、表示パラメータテーブル２２３、反転用キーテーブル２２４が予め格納されている。
【００６５】
処理状態−キー設定対応テーブル２２１には、図１０に示すように、、携帯電話機１の現在の処理状態（待ち受け状態、メインメニュー、メール送信等）毎に、割り付けるキー機能を定義したキー設定テーブル２２２のテーブル番号と反転テーブル番号が対応付けられている。
【００６６】
キー設定テーブル２２２には、図１１に示すように、各入力キー４３のキー番号毎に、入力キー４３に対して割り付けるキー機能（処理内容や英数字などの入力文字等）と、表示パラメータが設定されている。
【００６７】
なお、各入力キー４３のキー番号については、例えば、図１５に示すように、上側の入力キー４３から順番に割り当てられている。図１５の各入力キー４３に付した数字は、キー番号を示すものであり、実際に番号が付されている訳ではない。
【００６８】
このキー設定テーブル２２２は、処理状態−キー設定対応テーブル２２１に定義される処理状態に応じて処理状態の数だけ複数用意されており、それぞれにテーブル番号（Ｎｏ．１、Ｎｏ．２、・・・）が付されている。
【００６９】
表示パラメータは、入力キー４３に割り付けられたキー機能の内容を表示部５０に表示する際の表示方法を示すパラメータであり、パラメータの種類ごとに、表示を制御するための表示方法が表示パラメータテーブル２２３に定義されている。
【００７０】
図１２は、表示パラメータテーブル２２３を示しており、表示パラメータ（Ａ、Ｂ、Ｃ、・・・）毎に、入力キー４３に割り付けられたキー機能の内容をどのように表示するかを示す表示方法（バックライトの点灯の有無、表示色、点滅の有無等を示す表示属性）が具体的に定義されている。
【００７１】
図１３に示す反転用キーテーブル２２４は、キー設定テーブル２２２毎に、入力キー４３全体を上下に反転させた場合のキー機能の設定内容が定義されている。
【００７２】
この反転用キーテーブル２２４は、携帯電話機を開いた状態から閉じた状態とした場合に、キー機能の割り付けを反転させるためのテーブルであり、個々のキー設定テーブル２２２毎に用意され、反転テーブル番号（Ｎｏ．１−１、Ｎｏ．２−１、・・・）が付されている。
【００７３】
キー機能設定部２１２は、処理状態判別部２１１で判別された処理状態を取得すると、処理状態−キー設定対応テーブル２２１を参照しテーブル番号を取得すると共に、取得したキーテーブル番号のキー設定テーブル２２２に定義された内容に基づいて入力キー４３へのキー割り付けを実行する。すなわち、キー設定テーブル２２２のキー番号毎に定義されたキー機能を対応する入力キー４３に割り付ける。
【００７４】
また、キー機能表示処理部２１３は、キー機能設定部２１２によって設定されたキー機能の割り付け内容に基づいて、入力キー４３のイメージと対応させて割り付けられたキー機能の内容を表示部２１に表示させる機能を有する。
【００７５】
具体的には、入力操作部４０の入力キー４３のイメージを表示部２１に透過的に表示させると共に、入力キー４３に割り付けられたキー機能の内容を入力キー４３のイメージにオーバーラップさせて表示させる。
【００７６】
キー機能表示処理部２１３は、入力キー４３のイメージにオーバーラップさせて表示する場合に、割り付けられているキー設定テーブル２２２を参照し、キー設定テーブル２２２に定義されている表示パラメータを取得し、表示パラメータテーブル２２３から当該表示パラメータに対応付けられた表示方法に基づいてキー機能の表示を行う。
【００７７】
入力認識部２１４は、入力操作部４０からのキー入力の有無を判別する機能と、キー入力があった場合に、入力キー４３及び押ボタンキーに対してキー機能設定部２１２で割り付け設定されたキー機能に対応する入力情報を機能処理部２２０に出力する機能を有する。
【００７８】
入力認識部２１４によるキー入力の判別は、後述する入力キー４３の選択と決定の操作（動作）に基づいて実行される。
【００７９】
機能処理部２２０では、入力認識部２１４から送られる入力情報（キー操作情報）に基づいて所定の処理を実行することとなる。
【００８０】
表示本体部２０の液晶ディスプレイ（ＬＣＤ）等による表示部５０には、携帯電話機１によって通信される各種データが表示されると共に、入力操作部４０によって行う入力を支援するため画面がキー機能表示処理部２１３によって表示される。
【００８１】
また、入力操作部４０によって入力を行う場合においては、図１４〜図１７に示すように、入力キー４３全体イメージに割り付けたキー機能の内容をオーバーラップさせて表示する部分の上側に、入力した文字やその他の情報を表示するための入力表示エリア２２が配置されている。
【００８２】
入力キー４３のイメージについては、入力キー４３と一対一に対応する同じ大きさのイメージが透過的に表示部２１に表示されており、携帯電話機１で送受信される種々の情報は、その入力キー４３のイメージにオーバーラップさせた状態で表示されるようになっている。
【００８３】
図１４〜図１７を参照して、キー機能設定部２１２によって設定されるキー機能やキー機能の配置位置（範囲）について説明する。
【００８４】
図１４では、キー機能設定部２１２によって、入力キー４３の中央の縦横の列からなる十字の範囲に対して、所定の処理状態に応じたキー機能が設定されている。そして、キー機能が設定された入力キー４３の中央十字の範囲に対応するイメージ３００が、表示部２１に表示されている。この状態では、十字の範囲以外の入力キー４３にタッチして操作しても何ら入力は実行されない。
【００８５】
図１６では、キー機能設定部２１２によって、中央の横一列を境界にして、入力キー４３の上部と下部の範囲に対して、所定の処理状態に応じたキー機能が設定されている。
【００８６】
そして、このキー機能の割り付けに対応して、表示部２１には、入力キー４３のキー機能が割り付けられたキー部分のイメージ３００が透過的に表示され、かつキー機能が設定された上部と下部の範囲には、そのキー機能の内容を表すキー機能情報３０１が表示されている。
【００８７】
図１６の例では、上部と下部の範囲に対応して、それぞれキー機能として「ＹＥＳ」、「ＮＯ」の入力を行うためのキー機能が設定され、それを表すキー機能情報３０１（「ＹＥＳ」、「ＮＯ」の文字）が表示されている。
【００８８】
この場合のキー設定テーブル２２２の定義例を図１７に示す。
【００８９】
図１５では、キー機能設定部２１２によって、入力キー４３の４つの行範囲に対して、所定の処理状態に応じたキー機能が設定されている。
【００９０】
そして、このキー機能の割り付けに対応して、表示部２１には、入力キー４３のうちキー機能が割り付けられたキー部分のイメージが透過的に表示され、かつキー機能が設定された四隅の範囲には、そのキー機能の内容を表すキー機能情報３０１が表示されている。
【００９１】
図１５の例は、４つの範囲に対応して、携帯電話機１が有する機能選択のメニューを割り付けた例であり、それぞれ「通話」、「メール」、「アプリ」、「ツール」、「サービス」の各処理に対する入力を行う機能が設定され、それを表すキー機能情報３０１（「通話」、「メール」、「アプリ」、「ツール」、「サービス」の文字）が表示されている。
【００９２】
図１８では、キー機能設定部２１２によって、中央の縦横の各一列を境界にして、入力キー４３の四隅の４つの範囲に対して、所定の処理状態に応じたキー機能が設定されている。
【００９３】
そして、このキー機能の割り付けに対応して、表示部２１には、入力キー４３のうちキー機能が割り付けられたキー部分のイメージ３００が透過的に表示され、かつキー機能が設定された四隅の範囲には、そのキー機能の内容を表すキー機能情報３０１が表示されている。
【００９４】
図１８の例では、四隅の４つの範囲に対応して、それぞれ「送信」、「編集」、「保存」、「削除」の各処理に対する入力を行う機能が設定され、それを表すキー機能情報３０１（「送信」、「編集」、「保存」、「削除」の文字）が表示されている。
【００９５】
この場合のキー設定テーブル２２２の定義例を図１９に示す。
【００９６】
なお、図１４〜図１８において、当該範囲ごとに一つのキー機能を割当ててもよいし、当該範囲をさらに複数の小区画に区分けして複数のキー機能を割当ててもよい。
【００９７】
また、表示部２１に表示される入力キー４３のイメージ３００のうち、割り当てられたキー機能に対応する範囲をバックライト等により複数の異なる色で発光させてもよい。
【００９８】
図１５〜図１８では、操作キー４１の入力キー４３に対するキー機能の設定について説明したが、所定の処理状態に応じて押ボタンキー機能に対しても所定のキー機能（例えば、入力状態を決定するための機能等）が設定される。
【００９９】
図２０と図２９を参照して、表示部２１に表示される画面の具体例について説明する。
【０１００】
図２０は、図１に示すように操作本体部１０と表示本体部２０とが互いに開いた状態での、操作入力部４０の各入力キー４３に割り付け設定されたキー機能の内容とその表示部２１への表示例を示している。
【０１０１】
すなわち、図示のようなひらがな文字の「あ」行の文字及び小文字の「ぁ」行の文字を入力するためのキー機能が割り付けられており、そのキー機能情報３０１が入力キー４３のイメージにオーバーラップさせて表示部２１に対応付けて表示されている。
【０１０２】
図２０の場合のキー設定テーブル２２２の定義例を図２１に示す。
【０１０３】
なお、図２０では、キー機能が設定されている入力キー４３のキー部分を太線によって強調して示している。
【０１０４】
図２０と同じキー機能が割り付けられた状態で図２に示すように操作本体部１０と表示本体部２０とが互いに付き合わせられて閉じた状態における表示例を図２９に示している。
【０１０５】
図２９において、図の左側には、操作本体部１０の操作キー４１を、表示本体部２０側から透過して見た状態を示している。
【０１０６】
この携帯電話機１を折り畳んだ（閉じた）状態では、ユーザは携帯電話機１の裏側に位置する操作本体部１０の操作入力部４０にタッチすることにより、表示部２１を見ながら入力操作を行う。
【０１０７】
また、図２９に示すように、この場合、表示部２１に表示される入力キー４３のイメージとそのキー機能の内容は図２０の場合と同じであるが、操作入力部４０の入力キー４３に対する割り付けは、図２０の場合と上下が反転した状態となっている。すなわち、折り畳んで裏側に位置する操作入力部４０の入力ー４３のキー番号は、表示部５０側から透過させて見た場合に、開いた状態と上下が反転した状態となる。
【０１０８】
例えば、図２０において、キー番号（１）の入力キー４３に割り付けられている「ひらがな」の「あ」の文字が、図２９では、キー番号（１９）の入力キー４３に割り付けられ、入力キー４３に対するキー機能の割り付けが上下に反転していることが分かる。
【０１０９】
このため、図１３に示すような、反転用キー設定テーブル２２４を予め定義しておくことにより、折り畳んだ状態に移行した場合に、キー機能の割り付けを簡単に変えることができる。
【０１１０】
図２９の場合の反転用キー設定テーブル２２４の定義例を図２２に示す。
【０１１１】
このように、本実施の形態による携帯電話機１においては、操作本体部１０と表示本体部２０を開いた状態でも閉じた状態でも、表示部２１に表示されるキー機能表示３０１を見ながら同じように入力操作が可能である。
【０１１２】
携帯電話機１を開いた状態と閉じた状態とにおける入力キー４３に対するキー機能の割り割り付け状態の反転処理は、入力支援部２１０のキー機能設定部２１３が携帯電話機１の形態（開状態又は折り畳み状態）に応じて自動的に実行する。
【０１１３】
携帯電話機１の開状態と閉状態の検出については、例えば軸部３０に開閉に連動して動作するスイッチや角度を検出するセンサーを設け、操作部１０と表示部２０間の角度によって開状態と閉状態を検出することが可能である。
【０１１４】
（第１の実施の形態の動作）
図２３は、本実施の形態による携帯電話機１の入力支援部２１０の動作を示すフローチャートである。
【０１１５】
図２３を参照すると、本実施の形態による携帯電話機１は、まず、処理状態判別部２１１で携帯電話機１における現在の処理状態を判別する（ステップＳ２３０１）。
【０１１６】
次いで、キー機能設定部２１２が、ステップＳ２３０１において判別された処理状態に基づいてキー設定記憶部２２０の処理状態−キー設定対応テーブル２２１を参照し（ステップＳ２３０２）、判別した処理状態に対応するキー設定テーブル２２２のテーブル番号を取得する（ステップＳ２３０３）。
【０１１７】
携帯電話機１が開状態か閉状態かを判定し（ステップＳ２３０４）、開状態であればテーブル番号で示されるキー設定テーブル２２２を読み込んで定義された内容にしたがってキー機能の設定を行う（ステップＳ２３０５）。
【０１１８】
閉状態であれば、反転用のテーブル番号で示される反転用キー設定テーブル２２４を読み込んで定義された内容にしたがってキー機能の設定を行う（ステップＳ２３０６）。これにより、現在の処理状態に対応したキー機能の割り付けがなされる。
【０１１９】
キー機能表示処理部２１３は、キー機能設定部２１２がキー機能の割り付けに用いたキー設定テーブル２２２から表示パラメータを取得し（ステップ２３０７）、表示パラメータテーブル２２３から取得した表示パラメータで示される表示方法を取得し（ステップＳ２３０８）、取得した表示方法によってキー機能設定部２１２によって割り付けられたキー機能の内容を、入力キー４３のイメージにオーバーラップさせて表示部５０に表示する（ステップＳ２３０８）。
【０１２０】
その状態で、入力認識部２１４は、入力操作部４０からのキー入力があるか否かを判別し（ステップＳ２３０９）、キー入力があった場合、入力されたキー機能を認識し、キー機能に対応する入力情報を機能処理部２２０に出力する（ステップＳ２３１０）。
【０１２１】
これにより、機能処理部２２０では、入力認識部２１４から送られるキー入力情報に基づいて所定の処理を実行する。
【０１２２】
また、携帯電話機１を開いた状態から閉じた場合、又は閉じた状態から開いた場合には、キー機能設定部２１２とキー機能表示処理部２１３によって、上述したステップが実行され、キー機能の割り付けと割り付けられたキー機能の表示が行われる。
【０１２３】
上記の説明では、携帯電話機１を開いた状態でのキー機能の割り付けを行うためのテーブルをキー設定テーブル２２２、閉じた状態でのキー機能の割り付けを行うためのテーブルを反転用キー設定テーブル２２４とした場合を説明したが、閉じた状態のためのテーブルをキー設定テーブル２２２、開いた状態のためのテーブルを反転用キー設定テーブル２２４とすることも可能である。
【０１２４】
次いで、入力認識部２１４によるキー入力の認識処理の動作について、図２４と図２５のフローチャートに従って説明する。
【０１２５】
操作キー４１の入力キー４３として、指の接触を感知して感知した当該キーに割り付けられた情報の入力を可能とする接触感知式のキーを利用した場合のキー入力の認識処理を図２４に示す。
【０１２６】
入力認識部２１４は、入力キー４３から接触による感知信号を常時監視し、一定時間以上連続して接触されたかどうを判別する（ステップＳ２４０１）。
【０１２７】
一定時間以上連続して接触された場合、対応する入力キー４３のキー機能の選択処理を行う（ステップＳ２４０２）。
【０１２８】
そして、その状態で選択された入力キー４３から指を離すことで接触が無くなったかどうかを判定し（ステップＳ２４０３）、入力キー４３から指を離して接触（タッチ）が無くなった場合に選択された入力キー４３のキー機能の入力が決定され（ステップＳ２４０４）、決定された入力キー４３の機能を認識し入力信号を出力する（ステップＳ２４０５）。
【０１２９】
上記の説明では、入力キー４３からの接触（タッチ）が無くなった時に、選択状態のキー機能が決定される場合を説明したが、選択状態で操作キー４１（押ボタンキー）そのものが押下された時に選択された入力が決定されるようにしてもよい。
【０１３０】
操作キー４１の入力キー４３として、指で一定上の圧力が加えられたことを検知して当該キーに割り付けられた情報の入力を可能とする圧力感知式のキーを利用した場合キー入力の認識処理を図２５に示す。
【０１３１】
入力認識部２１４は、入力キー４３からの圧力の検知信号を常時監視し、一定圧力以上の圧力を検知したかどうかを判別する（ステップ２５０１）。
【０１３２】
一定圧力以上の圧力を検知した場合、対応する入力キー４３のキー機能の選択処理を行う（ステップ２５０２）。
【０１３３】
そして、その状態で選択された入力キー４３から指を離すことで圧力が無くなったかどうかを判定し、圧力が無くなった場合に選択された入力キー４３のキー機能の入力が決定され（ステップ２５０３）、決定された入力キー４３のキー機能を認識し入力信号を出力する（ステップ２５０４）。
【０１３４】
上記のように、入力キー４３に対する一定時間以上の接触又は一定圧力以上の押圧と、入力キー４３から指を離すという２つの動作によってキー入力が実行されることになる。
【０１３５】
なお、操作キー４１の入力キー４３として圧力感知式のキーを利用した場合でも、接触感知式のキーの場合と同様に、入力キー４３に一定圧力以上の圧力が一定時間以上加えられたことを検知した場合に、入力キー４３のキー機能の選択処理を行うようにしてもよい。
【０１３６】
また、入力キー４３に加えられる圧力が無くなった時に、選択状態が決定される場合を説明したが、選択状態で操作キー４１（押ボタンキー）の押下に必要な圧力以下の圧力（選択処理において感知される圧力より大きい圧力）を感知した場合に選択された入力が決定されるようにしてもよい。
【０１３７】
なお、操作キー４１の押しボタンキーの機能についても、対応するキー機能が割り付けられており、例えば処理の最終確認に対する決定等のキー機能が割り付けられる。
【０１３８】
この操作キー４１の押しボタンキーに対するキー機能も、上述したキー設定テーブル２２２に処理状態に応じて定義されている。
【０１３９】
また、以上の説明では、キー設定テーブル２２２と反転用キー設定テーブル２２４を予め定義してキー機能設定記憶部２２０に格納する構成を説明したが、開いた状態のキー機能の割り付けのためにキー設定テーブル２２２だけを予め定義しておき、携帯電話機１を閉じることでキー機能を反転させる際に、その都度キー番号を上下に反転させた反転用テーブルを生成してキー機能の割り付けを行うようにすることも可能である。
【０１４０】
（第１の実施の形態における具体的動作）
次に、本実施の形態による携帯電話機１における入力動作の具体的な動作例について説明する。
【０１４１】
図２６は、携帯電話機１における入力動作の具体的な動作例を示すフローチャートである。
【０１４２】
図１５、図１８、図２８〜図３１を参照して、第１の実施の形態による携帯電話機１の詳細な動作の一例として、日本語のひらがなを入力する動作について説明する。
【０１４３】
なお、図２８〜図３１は、第１の実施の形態による携帯電話機１の表示部２１に表示される画面の具体例を示す図であって、図２８は、日本語入力のための「ひらがな」の五十音の「あ」行から「わ」行の先頭のひらがな、句読点、矢印記号や、変換、確定、クリア、終了等の機能や、カナ入力への変換、英語入力への変換、数字入力への変換の機能を表示している状態を示し、図２９は、日本語入力のための「あ」行及び「ぁ」行と、クリアの機能を表示している状態を示す。
【０１４４】
以下では、携帯電話機１を折り畳んだ状態で、表示本体部２０の裏側に位置する操作本体部１０の入力キー４３を操作して表示部２１に表示される入力キー４３のイメージとキー機能表示情報３０１を見ながら入力を行う場合について説明する。
【０１４５】
まず、ユーザの指等により入力操作部４０がタッチ操作されると、図１５に示すように、携帯電話機１で実行可能な処理機能を示すメニュー文字（キー機能情報３０１）が入力キー４３のイメージ３００とオーバーラップして表示される。
【０１４６】
次いで、図１５のメニュー画面で、例えば、「メール」の表示の位置に対応する入力キー４３に一定時間以上タッチし、入力キー４３から指を離すことにより、メールに関する機能が選択決定され、編集の処理状態に対応して、図１８に示すようなメールに関する各種機能である送信、編集、保存、削除の各処理を行う機能が表示される。
【０１４７】
そして、これらの機能のうち、メールの「編集」の表示の位置に対応する入力キー４３を一定時間以上タッチし、入力キー４３から指を離すことにより、「編集」の機能が選択決定され、編集の処理状態に対応して、図２７に示すような文字入力のための「ひらがな」の五十音の「あ」行から「わ」行の先頭のひらがな文字を入力するキー機能が割り付けられ、それらのキー機能を示すキー機能情報３０１（先頭のひらがな文字）が入力キー４３の各キーと対応させて表示される（ステップＳ２６０１）。
【０１４８】
次いで、図２７の状態で、ユーザが指で入力キー４３をタッチすることにより、入力したい文字を含む行を示すひらがな文字を選択する（ステップＳ２６０２）。文字の選択は、上記のように入力キー４３を一定時間以上タッチすることによって行う。
【０１４９】
図２８においては、ユーザが指で入力キー４３のうち「あ」行の先頭文字である「あ」の表示位置に対応するキーにタッチして選択した場合を示している。
【０１５０】
この場合、選択した文字の表示が図示のように強調表示される。図２８では、文字「あ」の表示位置に対応するキーに一定時間以上触れたことにより、文字「あ」が選択され、文字「あ」の表示が拡大されて強調表示された状態を示している。
【０１５１】
このように、表示部２１で強調表示される文字を見ながら自分が選択した文字を確認しながら入力操作を行うことができる。
【０１５２】
強調表示については、拡大による以外に選択した文字の明るさを他の部分より明るくする等によって強調することも可能である。
【０１５３】
上記のように、入力したい文字を含む行を示すひらがな文字を選択することにより、次いで、図２９に示すように、携帯電話機１の処理状態が切り替わることによって表示部２１のキー機能表示が切り替わり、ひらがな文字の「あ」行の内容及び小文字の「ぁ」行の内容が入力キー４３の各キーと対応させて表示される（ステップＳ２６０３）。
【０１５４】
次いで、図２９の状態で、ユーザが指で入力キー４３にタッチすることにより、入力したいひらがな文字を選択する（ステップＳ２６０４）。
【０１５５】
図３０では、ユーザが指をスライドさせ、入力キー４３のうち、表示部２１に表示される文字「う」の表示位置に対応するキーに触れることにより、ひらがな文字「う」を選択した状態を示している。この場合も、選択した文字のキー機能表示が図示のように強調表示される。
【０１５６】
これにより、入力したひらがな文字が入力表示エリア２２に表示される（ステップＳ２６０５）。図３０では、表示部２１の入力表示エリア２２上にひらがな文字「う」が表示された状態を示している。
【０１５７】
続いて他の文字を入力する場合には（ステップＳ２６０６）、ステップＳ２６０１の「ひらがな」の五十音のキー機能表示の画面に戻り、上記のステップを繰り返して他のひらがな文字を入力する。
【０１５８】
入力を終了する場合には、入力したひらがな文字を漢字変換するか、そのままひらがな文字として確定するかを、入力キー４３にタッチすることにより選択する（ステップ１６０７）。
【０１５９】
図３１では、ひらがな文字「う」が入力された後に、ひらがな文字「う」を確定させた状態を示している。ここでは、表示エリア２２に表示された文字「う」に付されていた下線が確定により消えた状態を表している。
【０１６０】
（第１の実施の形態の効果）
以上説明した本実施の形態によれば、携帯電話機１について、折り畳んだ状態であっても、入力操作部４０を目視することなく、表示部２１に表示される入力キー４３のイメージとキー機能表示情報を確認しながら入力操作を行うことで、携帯電話機１を開いた状態と同じように本来の機能を実行することが可能となる。
【０１６１】
その理由は、携帯電話機１の処理状態が処理状態判別部２１１によって判別され、判別された処理状態に対応する処理内容に応じてキー機能設定部２１２によって設定されたキー機能の情報を、入力キー４３のイメージとオーバーラップさせて表示部２１に表示するようにしたからである。
【０１６２】
また、本実施の形態によれば、入力操作部４０のメカニカルな機構を簡素化することができる。
【０１６３】
その理由は、入力キー４３の各キーの機能が物理的に割り付けられておらず、入力キー４３の各キーに対するキー機能を、現在の処理状態に応じてキー機能設定部２１２によって割り付けるようにしたためである。
【０１６４】
すなわち、処理状態判別部２１１が、携帯電話機１がいかなる種類の情報を入力可能な状態にあるかを判別し、キー機能設定部２１２が、処理状態判別部２１１によって判別された処理状態に基づいて、入力キー４３及び押ボタンキーに対してキー機能を設定するようにしたので、携帯電話機１に備えられた複数の機能を実行するために必要なキーを全て設ける必要がない。
【０１６５】
さらにまた、本実施の形態によれば、入力操作部４０をデザインする際の自由度が増す。
【０１６６】
その理由は、これまでの携帯電話機１では、複数の機能を実行するために必要な多数のキーをその機能毎に操作部に配置する必要やその操作性の制限から、入力操作部のデザインに対して大きな制約があったが、本実施の形態によれば、各種のキー機能を自由に割り付けると共に、そのキー機能を表示部に表示させて入力操作を行うようにしたことで、入力操作部のデザインに対する制約が減少するためである。
【０１６７】
以上好ましい複数の実施の形態をあげて本発明を説明したが、本発明は必ずしも、上記実施の形態に限定されるものでなく、その技術的思想の範囲内において様々に変形して実施することができる。
【０１６８】
上述した実施の形態においては、携帯電話機を開いた状態から閉じた状態とした場合に、キー設定テーブル２２２毎に用意した反転用キーテーブル２２４の定義内容に基づいて、各入力キーへのキー機能の割り付けを反転させる構成を説明したが、そのようなキー機能の割り付けの反転を行わず（反転用キーテーブル２２４を備えず）、表示部２１に入力キー４３のイメージにオーバーラップさせて表示するキー機能の表示を反転するようにしてもよい。
【０１６９】
例えば、携帯電話機を開いた状態で、図２０に示すように、図２１に示すキー設定テーブル２２２に基づいてキー機能が割り付けられている場合、その携帯電話機を閉じた状態にすると、操作キー４１の各入力キー４３の配置状態が上下に反転するが、その状態で、キー機能表示処理部２１３がキー設定テーブル２１３に基づいて再度キー機能の表示を実行することにより、入力キー４３のイメージにオーバーラップさせて表示するキー機能の表示が反転する。そのようなキー機能の表示を反転させた状態を図３２に示す。
【０１７０】
図３２に示すように、入力キー４３のイメージに各入力キー４３のキー番号毎にキー設定テーブル２２２で定義されたキー機能が表示されることで、キー機能の表示が図２０の場合の表示と上下が反転している。
【図面の簡単な説明】
【０１７１】
【図１】本発明の第１の実施の形態による携帯端末の開いた状態の外観図である。
【図２】第１の実施の形態による携帯電話機を折り畳んだ状態の入力操作部側の外観図である。
【図３】第１の実施の形態による携帯電話機を折り畳んだ状態の表示部側の外観図である。
【図４】第１の実施の形態による携帯電話機の入力操作部部分の断面構造を示す図である。
【図５】第１の実施の形態による携帯電話機の入力操作部の外観を示す図である。
【図６】第１の形態による携帯電話機１のハードウェア構成を示すブロック図である。
【図７】第１の形態による携帯電話機１全体の機能構成を示すブロック図である。
【図８】第１の実施の形態による携帯電話機の入力操作部と入力支援部の構成を示す図である。
【図９】第１の実施の形態による入力支援部の機能的な構成を示すブロック図である。
【図１０】第１の実施の形態による携帯電話機で用いる処理状態−キー設定対応テーブルの例を示す図である。
【図１１】第１の実施の形態による携帯電話機で用いるキー設定テーブルの例を示す図である。
【図１２】第１の実施の形態による携帯電話機で用いる表示パラメータテーブルの例を示す図である。
【図１３】第１の実施の形態による携帯電話機で用いる反転用キー設定テーブルの例を示す図である。
【図１４】第１の実施の形態によるキー機能設定部で設定されるキー機能の割り付け例とその表示部への表示例を示す図である。
【図１５】第１の実施の形態によるキー機能設定部で設定されるキー機能の割り付け例とその表示部への表示例を示す図である。
【図１６】第１の実施の形態によるキー機能設定部で設定されるキー機能の割り付け例とその表示部への表示例を示す図である。
【図１７】図１６に示すキー機能の割付けに用いるキー設定テーブル２２２の定義例を示す図である。
【図１８】第１の実施の形態によるキー機能設定部で設定されるキー機能の割り付け例とその表示部への表示例を示す図である。
【図１９】図１８に示すキー機能の割付けに用いるキー設定テーブル２２２の定義例を示す図である。
【図２０】第１の実施の形態によるキー機能設定部で設定されるキー機能の割り付け例とその表示部への表示例を示す図である。
【図２１】図２０に示すキー機能の割付けに用いるキー設定テーブル２２２の定義例を示す図である。
【図２２】図２９に示すキー機能の割付けに用いるキー設定テーブル２２２の定義例を示す図である。
【図２３】第１の実施の形態による携帯電話機１の動作を示すフローチャートである。
【図２４】入力認識部によるキー入力の認識処理の動作を説明するフローチャートである。
【図２５】入力認識部によるキー入力の認識処理の他の動作例を説明するフローチャートである。
【図２６】第１の実施の形態による携帯電話機１の文字入力の動作を説明するフローチャートである。
【図２７】本実施の形態による携帯電話機１における入力動作の具体的な動作例について説明する図である。
【図２８】本実施の形態による携帯電話機１における入力動作の具体的な動作例について説明する図である。
【図２９】本実施の形態による携帯電話機１における入力動作の具体的な動作例について説明する図である。
【図３０】本実施の形態による携帯電話機１における入力動作の具体的な動作例について説明する図である。
【図３１】本実施の形態による携帯電話機１における入力動作の具体的な動作例について説明する図である。
【図３２】第１の実施の形態によるキー機能設定部で設定されるキー機能の表示部への表示が反転された例を示す図である。
【符号の説明】
【０１７２】
１：携帯電話機
１０：操作本体部
２０：表示本体部
２１：表示部
２２：入力表示エリア
３０：軸部
４０：入力操作部
４１：操作キー
４３：入力キー
４４：スイッチ部
２１０：入力支援部
２１１：処理状態判別部
２１２：キー機能設定部
２１３：キー機能表示処理部
２１４：入力認識部
２２０：キー機能設定記憶部
２２１：処理状態−キー設定対応テーブル
２２２：キー設定テーブル
２２３：表示パラメータテーブル
２２４：反転用キー設定テーブル
３００：入力キーのイメージ
３０１：キー機能情報
【図１】
2007164733.tif 000003
【図２】
2007164733.tif 000004
【図３】
2007164733.tif 000005
【図４】
2007164733.tif 000006
【図５】
2007164733.tif 000007
【図６】
2007164733.tif 000008
【図７】
2007164733.tif 000009
【図８】
2007164733.tif 000010
【図９】
2007164733.tif 000011
【図１０】
2007164733.tif 000012
【図１１】
2007164733.tif 000013
【図１２】
2007164733.tif 000014
【図１３】
2007164733.tif 000015
【図１４】
2007164733.tif 000016
【図１５】
2007164733.tif 000017
【図１６】
2007164733.tif 000018
【図１７】
2007164733.tif 000019
【図１８】
2007164733.tif 000020
【図１９】
2007164733.tif 000021
【図２０】
2007164733.tif 000022
【図２１】
2007164733.tif 000023
【図２２】
2007164733.tif 000024
【図２３】
2007164733.tif 000025
【図２４】
2007164733.tif 000026
【図２５】
2007164733.tif 000027
【図２６】
2007164733.tif 000028
【図２７】
2007164733.tif 000029
【図２８】
2007164733.tif 000030
【図２９】
2007164733.tif 000031
【図３０】
2007164733.tif 000032
【図３１】
2007164733.tif 000033
【図３２】
2007164733.tif 000034